(57)【要約】【課題】互いに異なるパネルの設置方法を実施することができる固定具を提供する。【解決手段】少なくとも１つのパネル２０を設置面１０に設置するための固定具２００は、少なくとも１つのパネル２０を支持可能な支持部材１１０と、支持部材１１０を支える基部２１０と、基部２１０に形成され、支持部材１１０をスライド移動可能に保持するレール２１２と、固定具２００を設置面１０に締結するための第１締結部材１４０を挿通する第１挿通孔２３０と、支持部材１１０を基部２１０に締結するための第２締結部材１３０と、を有する。第２締結部材１３０及び第１挿通孔２３０は、支持部材１１０が１つのパネル２０を支持した状態において、設置面１０に交差する方向からアクセス可能に構成されている。【選択図】図５
2019019500.tif 000002
【特許請求の範囲】
【請求項１】
少なくとも１つのパネルを設置面に設置するための固定具であって、
前記少なくとも１つのパネルを支持可能な支持部材と、
前記支持部材を支える基部と、
前記基部に形成され、前記支持部材をスライド移動可能に保持するレールと、
前記固定具を前記設置面に締結するための第１締結部材を挿通する第１挿通孔と、
前記支持部材を前記基部に締結するための第２締結部材と、を有し、
前記第２締結部材及び前記第１挿通孔は、前記支持部材が１つのパネルを支持した状態において、前記設置面に交差する方向からアクセス可能に構成されている、固定具。
【請求項２】
前記支持部材は、前記少なくとも１つのパネルの側面に当接する側面当接部を有し、
前記第２締結部材及び前記第１挿通孔の両方は、前記側面当接部に関して一方側に設けられている、請求項１に記載の固定具。
【請求項３】
前記支持部材は、前記側面当接部を有する柱状部材と、前記柱状部材を着脱可能に保持する保持部材と、を含む、請求項２に記載の固定具。
【請求項４】
前記第２締結部材は、前記基部と前記支持部材との間を延びる本体部と、前記本体部に連結され前記本体部の径よりも大きい径を有する頭部と、を有し、
前記レールは、前記本体部の径よりも大きく、かつ前記頭部の径よりも小さい開口部を有し、
前記開口部は、前記支持部材のスライド方向に沿って延びている、請求項１から３のいずれか１項に記載の固定具。
【請求項５】
前記第１挿通孔は、前記レールを挟んで両側に設けられている、請求項１から４のいずれか１項に記載の固定具。
【請求項６】
前記支持部材は、前記第２締結部材が挿通される第２挿通孔を有する下部を有し、
前記支持部材のスライド方向から見て前記第１挿通孔に挿通された前記第１締結部材の延長線上に位置する前記下部の第１部分は、前記第２挿通孔が形成された前記下部の第２部分よりも、前記第１締結部材から遠い方へ凹んでいる、請求項１から５のいずれか１項に記載の固定具。
【請求項７】
前記第１締結部材は、前記第１挿通孔を通る本体部と、前記本体部に連結され前記本体部の径よりも大きい径を有する頭部と、を有し、
前記第１締結部材の前記頭部は、前記固定具が前記設置面に締結された状態において、前記支持部材の前記下部の高さに達している、請求項６に記載の固定具。
【請求項８】
前記支持部材は、パネルを積載可能に構成され、前記第１締結部材の方に向かって突出する積載面を有し、
前記積載面は、前記レールに交差する方向における前記第１締結部材及び前記第２締結部材が設けられる領域よりも外側に設けられている、請求項１から７のいずれか１項に記載の固定具。
【請求項９】
前記基部は、前記支持部材とは反対側に向けられる面の、少なくとも前記第１挿通孔が形成された領域に、防水部材を有する、請求項１から８のいずれか１項に記載の固定具。
【請求項１０】
請求項１から９のいずれか１項に記載の固定具と、
前記固定具によって設置された少なくとも１つのパネルと、を有するパネル構造体。
【請求項１１】
パネルを支持可能な支持部材と、前記支持部材を支える基部と、前記基部に形成され、前記支持部材をスライド移動可能に保持するレールと、を有する固定具を用いて前記パネルを設置面に設置するパネルの設置方法であって、
前記設置面に締結されていない前記固定具を前記パネルの側部に取り付けるステップと、
前記パネルの側部に取り付けられた前記固定具を、第１締結部材によって前記設置面に締結するステップと、を有するパネルの設置方法。
【請求項１２】
パネルを支持可能な支持部材と、前記支持部材を支える基部と、前記基部に形成され、前記支持部材をスライド移動可能に保持するレールと、前記支持部材を前記基部に締結するための第２締結部材と、を有する固定具を用いて前記パネルを設置面に設置するパネルの設置方法であって、
前記固定具を第１締結部材によって前記設置面に締結するステップと、
前記設置面に締結された前記固定具の前記支持部材を前記基部に関してスライド移動させることによって、前記パネルの側部に前記固定具を取り付けるステップと、
前記パネルの側部に取り付けられた前記固定具の前記第２締結部材を締結することによって、前記支持部材と前記基部とを互いに締結するステップと、を有するパネルの設置方法。
【発明の詳細な説明】
【技術分野】
【０００１】
本発明は、太陽電池モジュールのような少なくとも１つのパネルを設置面に設置するための固定具と、当該固定具を含むパネル構造体と、パネルの設置方法と、に関する。
【背景技術】
【０００２】
近年、太陽電池モジュールのようなパネルが建造物の屋根のような設置面に設置されることがある。パネルを建造物の屋根に設置するための架台は、設置面の構造に応じて適宜設計される（以下の特許文献１）。
【０００３】
特許文献１は、太陽電池又は温水発生器からなる機能パネルを傾斜状のスレート屋根の構造材と平行に固定する構造を開示する。具体的には、機能パネルは、一対の横ラックの間に挟まれている。各々の横ラックは、屋根の傾斜方向に延びる複数の固定金具によってスレート屋根に固定されている。
【先行技術文献】
【特許文献】
【０００４】
【特許文献１】特開２０１３−１７７７３６号公報
【発明の概要】
【発明が解決しようとする課題】
【０００５】
太陽電池モジュールのようなパネルを施工するための以下の２つの手順が考えられる。第１の手順では、まず、複数の横ラックを固定金具によって設置面上に固定する。次に、互いに隣接する横ラックどうしの間にパネルを支持させる。
【０００６】
第２の手順では、まず、設置面上に１つの第１横ラックを固定金具によって固定し、設置面上に固定したパネルの第１側部のみを第１横ラックに支持させる。次に、パネルの第１側部と対向する第２側部に第２横ラックを取り付ける。ここで、第２横ラックは未だ設置面に固定されていない。次に、パネルの第２側部に取り付けられた第２横ラックを固定金具によって設置面に固定する。
【０００７】
一般に、パネルを施工する手順の違いに応じて適切な固定金具の構造は異なっている。したがって、互いに異なる手順によってパネルを設置面に設置することを可能にする固定具が望まれる。
【課題を解決するための手段】
【０００８】
一態様に係る少なくとも１つのパネルを設置面に設置するための固定具は、前記少なくとも１つのパネルを支持可能な支持部材と、前記支持部材を支える基部と、前記基部に形成され、前記支持部材をスライド移動可能に保持するレールと、前記固定具を前記設置面に締結するための第１締結部材を挿通する第１挿通孔と、前記支持部材を前記基部に締結するための第２締結部材と、を有する。前記第２締結部材及び前記第１挿通孔は、前記支持部材が１つのパネルを支持した状態において、前記設置面に交差する方向からアクセス可能に構成されている。
【０００９】
一態様に係るパネル構造体は、上記の固定具と、当該固定具によって設置された少なくとも１つのパネルと、を有する。
【００１０】
一態様に係るパネルの設置方法は、パネルを支持可能な支持部材と、前記支持部材を支える基部と、前記基部に形成され、前記支持部材をスライド移動可能に保持するレールと、を有する固定具を用いて前記パネルを設置面に設置する方法に関する。当該方法は、前記設置面に締結されていない前記固定具を前記パネルの側部に取り付けるステップと、前記パネルの側部に取り付けられた前記固定具を、第１締結部材によって前記設置面に締結するステップと、を有する。
【００１１】
一態様に係るパネルの設置方法は、パネルを支持可能な支持部材と、前記支持部材を支える基部と、前記基部に形成され、前記支持部材をスライド移動可能に保持するレールと、前記支持部材を前記基部に締結するための第２締結部材と、を有する固定具を用いて前記パネルを設置面に設置する方法に関する。当該方法は、前記固定具を第１締結部材によって前記設置面に締結するステップと、前記設置面に締結された前記固定具の前記支持部材を前記基部に関してスライド移動させることによって、前記パネルの側部に前記固定具を取り付けるステップと、前記パネルの側部に取り付けられた前記固定具の前記第２締結部材を締結することによって、前記支持部材と前記基部とを互いに締結するステップと、を有する。
【発明の効果】
【００１２】
上記態様によれば、同じ固定金具を用いて互いに異なるパネルの設置方法を実施することができる。
【図面の簡単な説明】
【００１３】
【図１】一実施形態に係るパネル構造体の模式図である。
【図２】図１の２Ａ−２Ａ線に沿ったパネル構造体の断面図である。
【図３】一実施形態に係る固定具の側面図である。
【図４】一実施形態に係る固定具の部分的側面図である。
【図５】一実施形態に係る固定具の部分的斜視図である。
【図６】一実施形態に係る固定具の上面図である。
【図７】パネルの設置方法の一例を説明するための図である。
【図８】パネルの設置方法の別の例を説明するための図である。
【発明を実施するための形態】
【００１４】
以下、図面を参照して、実施形態について説明する。以下の図面において、同一又は類似の部分には、同一又は類似の符号を付している。ただし、図面は模式的なものであり、各寸法の比率等は現実のものとは異なることがあることに留意すべきである。
【００１５】
図１は、一実施形態に係るパネル構造体の模式図である。図２は、図１の２Ａ−２Ａ線に沿ったパネル構造体の断面図である。パネル構造体は、少なくとも１つのパネル２０と、少なくとも１つのパネル２０を設置面１０に設置するための固定具２００と、を有していてよい。パネル２０は、例えば太陽電池モジュールであってよい。
【００１６】
本実施形態では、設置面１０は、傾斜した屋根であってよい。本明細書において、傾斜した屋根において最大傾斜線に沿って高い方から低い方へ向かう方向を「流れ方向Ｆ１」と称する。流れ方向Ｆ１の上流側を「水上側」と称する。流れ方向Ｆ１の下流側を「水下側」と称する。また、流れ方向Ｆ１と直交し、かつ屋根面に沿った方向を「横方向Ｆ２」と称する。
【００１７】
本実施形態では、建造物の屋根は、屋根材として複数のスレート１２が敷き詰められたスレート屋根である。屋根に設けられた複数のスレート１２は流れ方向Ｆ１と横方向Ｆ２とに並んでいてよい。なお、流れ方向Ｆ１に互いに隣接するスレート１２は、部分的に重ねられており、これによりスレート屋根の表面に段差が形成されている。
【００１８】
図３は、一実施形態に係る固定具２００の側面図である。図４は、一実施形態に係る固定具２００の部分的側面図である。図５は、一実施形態に係る固定具２００の部分的斜視図である。図６は、一実施形態に係る固定具２００の上面図である。
【００１９】
固定具２００は、少なくとも１つのパネル２０を支持可能な支持部材１１０と、支持部材１１０を支える基部２１０と、を有していてよい。支持部材は、少なくとも１つのパネル２０の側面に当接する柱状部材１２０と、柱状部材１２０を着脱可能に保持する保持部材２０２と、を含んでいてよい。柱状部材１２０は、一方向、本実施形態では横方向Ｆ２に沿って保持部材２０２よりも長く延びている。柱状部材１２０は、少なくとも２つの保持部材２０２によって支持されていてよい。柱状部材１２０は、保持部材２０２上に保持される。
【００２０】
本実施形態では、パネル２０は複数設けられており、流れ方向Ｆ１と横方向Ｆ２とに並んでいてよい。この代わりに、複数のパネル２０は、流れ方向Ｆ１と横方向Ｆ２の少なくとも一方に並んでいてもよい。さらには、パネル２０は、１枚であってもよい。各々のパネル２０は、流れ方向Ｆ１において互いに隣接する一対の柱状部材１２０の間に配置されていてよい。
【００２１】
複数の柱状部材１２０は、流れ方向Ｆ１における両端（最も水下側と最も水上側）に配置された２つを除き、同一の構造を有していてよい。また、両端に配置された２つの柱状部材１２０は、両端以外に配置された柱状部材１２０と同一の構造を有していてもよい。
【００２２】
柱状部材１２０は、保持部材２０２に保持される被保持部１２４を有する。柱状部材１２０は、流れ方向Ｆ１に互いに隣接する２つのパネル２０のうち少なくとも水下側のパネル２０を積載する第１積載面１２６ａを有していてよい。本実施形態では、流れ方向Ｆ１に互いに隣接する２つのパネル２０のうちの水上側のパネル２０を積載する第２積載面１２６ｂは、保持部材２０２に形成されている。この代わりに、第２積載面１２６ｂは、柱状部材１２０に形成されていてもよい。すなわち、柱状部材１２０は、互いに隣接するパネル２０のうちの少なくとも一方を積載可能に構成されていればよい。
【００２３】
柱状部材１２０は、第１積載面１２６ａと第２の積載面１２６ｂとを仕切る位置に配置された側面当接部１２８を有していてよい。側面当接部１２８は、第１積載面１２６ａ及び第２積載面１２６ｂに積載された一対のパネル２０どうしの間に配置され、一対のパネル２０の側面に当接するよう構成されていてよい。
【００２４】
柱状部材１２０はフランジ１２９を有していてよい。フランジ１２９は、第１積載面１２６ａ及び第２積載面１２６ｂに積載された一対のパネル２０の上面の端部を覆うように、側面当接部１２８の上部から流れ方向Ｆ１に突出している。
【００２５】
本実施形態では、保持部材２０２は、互いに隣接するパネル２０の一方を直接支持し、互いに隣接するパネル２０の他方を柱状部材１２０を介して支持する。この代わりに、保持部材２０２は、互いに隣接するパネル２０の両方を直接支持するよう構成されていてもよく、互いに隣接するパネル２０の両方を柱状部材１２０を介して支持するよう構成されていてもよい。なお、支持部材１１０と基部２１０は、第２締結部材１３０によって互いに締結されていてよい。
【００２６】
基部２１０は、パネル２０や柱状部材１２０のような被設置物を支えるように構成されている。本実施形態では、基部２１０は、被設置物を支持可能な支持部材１１０を介して被設置物を支えるよう構成されている。この代わりに、基部２１０は、被設置物を直接支えるよう構成されていてもよい。
【００２７】
固定具２００は、固定具２００を設置面１０に締結するための第１締結部材１４０を挿通する第１挿通孔２３０を有していてよい。第１挿通孔２３０は、基部２１０に設けられていてよい。第１締結部材１４０によって基部２１０を設置面１０に締結することによって、固定具２００を設置面１０に固定することができる。なお、本実施形態では、第１締結部材１４０は、基部２１０の第１挿通孔２３０及び野地板１４を通って垂木１６に達していることが好ましい。
【００２８】
第１締結部材１４０は、第１挿通孔２３０を通る本体部１４１と、本体部１４１に連結され本体部１４１の径よりも大きい径を有する頭部１４２と、を有していてよい。具体的一例では、第１締結部材１４０は螺旋であってよい。この場合、本体部１４１はねじ切り部分であり、頭部１４２はねじ切り部分に一体に形成された頭部によって構成される。
【００２９】
基部２１０は、支持部材１１０とは反対側に向けられる面の、少なくとも第１挿通孔２３０が形成された領域に、防水部材２２８を有することが好ましい。防水部材２２８は、例えば弾性部材から構成されたシートであってよい。なお、図では、防水部材２２８の厚みが厚く描かれているが、防水部材２２８はより薄くてよい。
【００３０】
基部２１０は、支持部材１１０を支持可能な支持部を有する。当該支持部は、支持部材１１０をスライド移動可能に保持するレール２１２であってよい。レール２１２は、例えば流れ方向Ｆ１に支持部材１１０をスライド可能に保持するよう、流れ方向Ｆ１に延びていてよい。支持部材１１０のスライド方向におけるレール２１２の長さは特に限定されないが、レール２１２は、基部２１０の一端から他端まで延びていてよい。
【００３１】
基部２１０は、横方向Ｆ２おける両側部において、上方に立設した一対の側壁部２１４を有していてよい。側壁部２１４は、レール２１２と同様に、流れ方向Ｆ１に延びていてよい。側壁部２１４の高さは、レール２１２の高さと実質的に同じであることが好ましい。この場合、支持部材１１０は、レール２１２の上面と一対の側壁部２１４の上面により支えられる。
【００３２】
第２締結部材１３０は、基部２１０と支持部材１１０との間を延びる本体部１３１と、本体部１３１に連結され本体部１３１の径よりも大きい径を有する頭部１３２と、を有していてよい。具体的一例では、第２締結部材１３０は、ボルト及びナットを含んでいてよい。この場合、本体部１３１は、ボルトのねじ切り部分によって構成される。頭部１３２は、ボルトのねじ切り部分と一体に形成された頭部、及び／又はねじ切り部分に着脱可能に構成されたナットにより構成される。本実施形態では、第２締結部材１３０の頭部１３２は、レール２１２内に配置されていてよい。レール２１２は、本体部１３１の径よりも大きく、かつレール２１２内に配置された頭部１３２の径よりも小さい開口部２１３を有する。
【００３３】
開口部２１３は、支持部材１１０のスライド方向に沿って延びている。第２締結部材１３０の頭部１３２は、開口部２１３内、すなわちレール２１２内に配置されており、第２締結部材１３０の本体部１３１は、開口部２１３を通って上方に延び、支持部材１１０に形成された第２挿通孔を通っている。このような構成により、第２締結部材１３０を緩めることによって、支持部材１１０は、基部２１０に関してスライド移動可能になっている。なお、第２締結部材１３０を強く締結すると、支持部材１１０は、基部２１０に関してスライド移動できないよう基部２１０に固定される。
【００３４】
第１挿通孔２３０は、レール２１２を挟んで両側に設けられていることが好ましい。さらに、第１挿通孔２３０は、基部２１０の端部付近、好ましくは当該端部から５ｃｍ以内、より好ましくは当該端部から３ｃｍ以内の範囲に設けられている。これにより、施工中にレール２１２が傾かないよう基部２１０をしっかりと締結することができる。第１挿通孔２３０は、基部２１０の、流れ方向Ｆ１における水上側の端部近傍のみに形成されていることが好ましいが、これに限定されるものではない。
【００３５】
好ましくは、レール２１２内には、基部２１０を設置面１０に締結するための締結部材を挿通させる挿通孔は設けられていない。これにより、レール２１２内の第２締結部材１３０の頭部１３２が、別の締結部材に当接することがないため、高さ方向及び横方向Ｆ２におけるレール２１２のサイズを小さくすることができる。レール２１２のサイズを小さくすることで、固定具２００全体のサイズを小さくすることが可能となる。
【００３６】
第２締結部材１３０及び第１挿通孔２３０は、支持部材１１０が１つのパネル２０、本実施形態では水下側のパネル２０を支持した状態において、設置面１０に交差する方向からアクセス可能に構成されている。具体的一例として、第２締結部材１３０及び第１挿通孔２３０の両方が、支持部材１１０が柱状部材１２０を保持した状態において、側面当接部１２８に関して一方側、本実施形態では水上側に設けられている。そして、水上側のパネル２０が第１積載面１２６ａに積載されているが、水上側のパネル２０が第２積載面１２６ｂに積載されていない状態において、第２締結部材１３０及び第１挿通孔２３０の両方は、設置面１０に交差する方向からアクセス可能になっている。これにより、図７及び図８を用いて以下で説明するように、同一の固定具２００によって互いに異なる方法によりパネル２０を設置できるようになる。
【００３７】
次に、保持部材２０２の具体的な構成の一例についてより詳細に説明する。保持部材２０２は、第２締結部材１３０が挿通される第２挿通孔１１６を有する下部１１２と、下部１１２よりも上方に位置する上部１１１と、を有する。上部１１１は、柱状部材１２０と当接するよう構成されている。
【００３８】
上部１１１は、柱状部材１２０の被保持部１２４を保持する保持部１１４を有していてよい。本実施形態では、保持部１１４は、柱状部材１２０の被保持部１２４を受け入れ可能な凹みによって構成されている。保持部１１４を構成する凹みは、横方向Ｆ２に端から端まで延びていてよい。これにより、柱状部材１２０の被保持部１２４を、横方向Ｆ２から、保持部１１４を構成する凹みにスライドしてはめ込むことができる。
【００３９】
レール２１２に沿った支持部材１１０のスライド方向から見て、第１挿通孔２３０に挿通された第１締結部材１４０の延長線上に位置する下部１１２の第１部分１１２ａは、第２挿通孔１１６が形成された下部１１２の第２部分１１２ｂよりも、第１締結部材１４０から遠い方へ凹んでいることが好ましい。より好ましくは、下部１１２の第２部分１１２ｂの水上側の先端は、横方向Ｆ２から見て第２締結部材１３０と重なる位置か、第２締結部材１３０よりも水下側に位置する。これにより、支持部材１１０が第１締結部材１４０及び第１挿通孔２３０を覆うことなくスライド移動できる範囲をできるだけ広くすることができる。この場合、支持部材１１０が、第１挿通孔２３０が形成された基部２１０の端部付近に位置していても、第１締結部材１４０によって基部２１０を設置面１０に締結できる。また、仮に第１挿通孔２３０に挿通された第１締結部材１４０の頭部１４２が側壁部２１４の頂部よりも高い位置にあったとしても、支持部材１１０のスライド移動の範囲を大きく確保することができる。言い換えると、固定具２００が設置面１０に締結された状態において第１締結部材１４０の頭部１４２が支持部材１１０の下部１１２の高さに達していたとしても、支持部材１１０のスライド移動の範囲を大きく確保することができる。
【００４０】
保持部材２０２は、前述したようにパネル２０を支持可能に構成された第２積載面１２６ｂを有していてよい。第２積載面１２６ｂは、上部１１１から第１締結部材１４０の方へ向かって連続的に突出した部分によって構成されていてよい。具体的には、第２積載面１２６ｂは、レール２１２に交差する方向において第１締結部材１４０及び第２締結部材１３０が設けられる領域よりも外側に設けられている。これにより、第２積載面１２６ｂが水上側に向かって延びていたとしても、第２積載面１２６ｂが第１締結部材１４０及び第２締結部材１３０を覆ってしまうことを防止することができる。
【００４１】
次に、図７を参照し、パネルの設置方法の一例を説明する。まず、パネル２０を支持可能な支持部材１１０と、支持部材１１０を支える基部２１０と、基部２１０に形成され、支持部材１１０をスライド移動可能に保持するレール２１２と、を有する固定具２００を準備する。具体的には、固定具２００は、前述した構成を有するものであってよい。
【００４２】
次に、１つの柱状部材１２０を固定具２００によって設置面１０に固定し、設置面１０に固定された固定具２００にパネル２０の第１側部を支持させる（図７参照）。
【００４３】
次に、パネル２０の第１側部とは反対側の第２側部に、前述の固定具２００を取り付ける。具体的には、保持部材２０２に柱状部材１２０を固定した状態で、柱状部材１２０の第１積載面１２６ａにパネル２０の第２側部を支持させる。ここで、固定具２００は、第２締結部材１３０及び第１挿通孔２３０が取り付けられたパネル２０とは反対側に位置する向きに取り付けられる。これにより、第２締結部材１３０及び第１挿通孔２３０は、設置面１０に交差する方向からアクセス可能な状態になっている。なお、この段階では、パネル２０の第２側部に取り付けた固定具２００は、未だ設置面１０に締結されていない。
【００４４】
次に、パネル２０の第２側部に取り付けた固定具２００を、第１締結部材１４０によって設置面１０に締結する。これにより、パネル２０を設置面１０上に設置することができる。また、パネル２０に隣接した別のパネル２０を設置する場合には、上記工程を繰り返し行えばよい。上記工程は、水下側から水上側に向かって順番に行ってもよいし、水上側から水下側に向かって順番に行ってもよい。水下側から水上側に向かって順番に上記工程を行う場合には、固定具２００は、第２締結部材１３０及び第１挿通孔２３０が水上側に向くように配置される。一方、水上側から水下側に向かって順番に上記工程を行う場合には、固定具２００は、第２締結部材１３０及び第１挿通孔２３０が水下側に向くように配置される。
【００４５】
図７に示す方法では、以下で説明する方法とは異なり、柱状部材１２０の位置調整の必要がないため、短時間でパネル２０を設置することができる。
【００４６】
次に、図８を参照し、パネルを設置する方法の別の例を説明する。まず、パネル２０を支持可能な支持部材１１０と、支持部材１１０を支える基部２１０と、基部２１０に形成され、支持部材１１０をスライド移動可能に保持するレール２１２と、支持部材１１０を基部２１０に締結するための第２締結部材１３０と、を有する固定具２００を準備する。具体的には、固定具２００は、前述した構成を有するものであってよい。
【００４７】
次に、固定具２００を第１締結部材１４０によって設置面１０に締結する。より具体的には、設置面１０上に設置するパネル２０に応じて複数の柱状部材１２０を複数の保持部材２０２を介して設置面１０上に固定する。ここで、すべての固定具２００は、第２締結部材１３０及び第１挿通孔２３０が柱状部材１２０よりも一方側、例えば水上側に位置するように向けられている。これにより、柱状部材１２０よりも他方側、例えば水下側にのみパネル２０が配置されたとしても、第２締結部材１３０及び第１挿通孔２３０は、設置面１０に交差する方向からアクセス可能となる。
【００４８】
次に、設置面１０に締結された固定具２００の支持部材１１０を基部２１０に関してスライド移動させることによって、パネル２０の側部に柱状部材１２０を介して固定具２００を取り付ける。
【００４９】
具体的には、互いに隣接する柱状部材１２０どうしの間にパネル２０を挟み込む。この際に、パネル２０を挟むことができるように、柱状部材１２０どうしの間の距離をパネル２０の長さよりも大きくしておくことが好ましい。そして、一方の固定具２００の支持部材１１０を基部２１０に関してスライド移動させ、柱状部材１２０どうしの間の距離を縮めることによって、パネル２０の両側部を保持することができる。
【００５０】
次に、パネル２０の側部に取り付けられた固定具２００の第２締結部材１３０を締結することによって、支持部材１１０と基部２１０とを互いに締結する。これにより、基部２１０に対する支持部材１１０のスライド移動を規制する。
【００５１】
図８に示す方法では、固定具２００を設置面１０に固定する工程と、パネル２０を取り付ける工程とを区分けすることができる。したがって、多数のパネル２０を設置面１０に取り付ける場合、一作業員が固定具２００を設置面１０に固定している間に、別の作業員が既に設置された固定具２００を利用してパネル２０の設置をすすめることもできる。
【００５２】
上述した固定具２００では、図７及び図８に示す両方法によってパネル２０を設置することができるため、施工業者が適宜いずれの設置方法を実行するかを選択することができる。パネルを設置する施工業者は自身の得意な施工方法を有していることも多いため、そのような施工業者にとって高いメリットが得られる。
【００５３】
上述したように、複数の実施形態を通じて本発明の内容を開示したが、この開示の一部をなす論述及び図面は、本発明を限定するものであると理解すべきではない。この開示から当業者には様々な代替の実施形態、実施例及び運用技術が明らかとなる。したがって、本発明の技術的範囲は、上述の説明から妥当な特許請求の範囲に係る発明特定事項によってのみ定められるものである。
【００５４】
例えば、上述した実施形態では、設置面１０としての屋根は、複数のスレート１２を有するスレート屋根であった。しかしながら、設置面１０は、スレート屋根に限定されず、様々な種類の屋根であってもよいし、屋根以外のものであってもよい。
【００５５】
また、上記実施形態では、設置面１０は、段差を有する傾斜面である。この代わりに、設置面１０は、傾斜面でなくてもよく、段差を有していなくてもよい。
【００５６】
また、上記実施形態では、固定具２００及び支持部材１１０は、互いに隣接する２つのパネル２０を保持可能に構成されている。この代わりに、固定具２００及び支持部材１１０は、１つのパネル２０のみを保持可能に構成されていてもよい。この場合、支持部材１１０の側面当接部１２８は、１つのパネル２０の側面に当接していればよい。このような固定具２００及び支持部材１１０は、パネル構造体の流れ方向Ｆ１における両端に配置されることに適している。
【００５７】
さらに、上記実施形態では、支持部材１１０を構成する柱状部材１２０と保持部材２０２とは、互いに着脱可能に構成されている。この代わりに、柱状部材１２０と保持部材２０２とは一体不可分に構成されていてもよい。
【符号の説明】
【００５８】
１０      設置面
２０      パネル
１１０    支持部材
１１６    第２挿通孔
１２０    柱状部材
１２６ａ  第１積載面
１２６ｂ  第２積載面
１３０    第２締結部材
１４０    第１締結部材
２００    固定具
２０２    保持部材
２１０    基部
２１２    レール
２１３    開口部
２２８    防水部材
２３０    第１挿通孔
Ｆ１      流れ方向
Ｆ２      横方向
【図１】
2019019500.tif 000003
【図２】
2019019500.tif 000004
【図３】
2019019500.tif 000005
【図４】
2019019500.tif 000006
【図５】
2019019500.tif 000007
【図６】
2019019500.tif 000008
【図７】
2019019500.tif 000009
【図８】
2019019500.tif 000010